(57)【要約】【課題】  飾りパターン表示領域に表示されるデータ情報と飾りパターンの表示割合によって飾りパターンの表示を適切に制御するようにする。【解決手段】  発光表示ユニット１２は、データ情報の表示領域とその周囲に設定された飾りパターン表示領域とに区分され、前記飾りパターン表示領域はデータ情報の表示領域と共通に使用され、制御手段１４（ＣＰＵ）は、データ情報と飾りパターンのデータを前記ＶＲＡＭ１５に展開する際に、データ情報の一部が飾りパターン表示領域に表示される場合、該データ情報の一部をＶＲＡＭ１５に展開するとともに、前記飾りパターン表示領域に表示されるデータタ情報の一部に隣接する飾りパターン表示領域の発光素子に対して、飾りパターンのデータをＶＲＡＭ１５に展開しないように制御する。【選択図】      図１
2006234901.tif 000002
【特許請求の範囲】
【請求項１】
マトリクス状に配列された複数の発光素子からなり、前記複数の発光素子のオン・オフによって画像情報を表示する発光表示ユニットと、前記発光表示ユニットに表示する画像データを展開するＶＲＡＭと、前記ＶＲＡＭにデータを展開するための制御手段とを備えた発光表示装置において、
前記発光表示ユニットは、データ情報の表示領域とその周囲に設定された飾りパターン表示領域とに区分され、前記飾りパターン表示領域はデータ情報の表示領域と共通に使用され、
前記制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上である場合には、飾りパターン表示領域に表示される飾りパターンのデータを前記ＶＲＡＭに展開しないように制御することを特徴とする発光表示装置。
【請求項２】
前記所定の割合は飾りパターン表示領域全体の５０％であることを特徴とする請求項１に記載の発光表示装置。
【請求項３】
マトリクス状に配列された複数の発光素子からなり、前記複数の発光素子のオン・オフによって画像情報を表示する発光表示ユニットと、前記発光表示ユニットに表示する画像データを展開するＶＲＡＭと、前記ＶＲＡＭにデータを展開するための制御手段とを備えた発光表示装置における表示制御方法において、
前記発光表示ユニットは、データ情報の表示領域とその周囲に設定された飾りパターン表示領域とに区分され、前記飾りパターン表示領域はデータ情報の表示領域と共通に使用され、
前記制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上である場合には、飾りパターン表示領域に表示される飾りパターンのデータを前記ＶＲＡＭに展開しないように制御するステップを含むことを特徴とする発光表示装置における表示制御方法。
【請求項４】
前記所定の割合は飾りパターン表示領域全体の５０％であることを特徴とする請求項３に記載の発光表示装置における表示制御方法。
【発明の詳細な説明】
【技術分野】
【０００１】
本発明は、マトリクス状に配列された複数の発光素子からなる発光表示ユニットに文字などのデータ情報を表示し、その周囲に飾りパターンを表示する発光表示装置に関し、特に、飾りパターンの表示領域をデータ情報の表示領域として共通に使用する発光表示装置において、データ情報と飾りパターンの表示が重なる場合に、データ情報の表示が目立つように飾りパターンの表示を制御するようにした発光表示装置およびその表示制御方法に関するものである。
【背景技術】
【０００２】
一般に、ＬＥＤなどの発光素子を用いた表示装置が種々の電子装置に用いられている。また、このような発光素子をマトリクス状に配列した表示部に文字、絵文字、図形などのデータ情報を表示する発光表示装置も用いられている。このようなマトリックスタイプの表示装置は、例えば、発光表示装置を周囲から観察し易い場所に設置し、駐車場の空きの有無や、商店などが営業中であることを表示したり、あるいは、遊戯設備の表示装置としても使用されている。
【０００３】
このようなマトリックスタイプの発光表示装置においては、発光表示装置が設置されていること、あるいは、発光表示装置に表示したデータ情報が注目を引くように、表示したデータ情報の周囲に飾りパターンを表示する構成にする場合も多い。飾りパターンは、例えば、表示したデータ情報の周囲の１〜数ラインの発光素子をデータ情報の表示色と異なる色で表示し、あるいは、表示箇所を順次シフトしたり、点滅表示したりする制御を行い、観察者の注意を引くようにしている。
【０００４】
例えば、下記の特許文献１（特開平１１−３１６５６９号公報）には、データ情報と飾りパターンを表示するようにしたマトリックスタイプの発光表示ユニットを備えた発光表示装置が開示されている。
【０００５】
図９は、上記特許文献１に開示された発光表示装置における発光表示ユニットの構成を示す図である。発光表示ユニット１は、複数のＬＥＤ素子２をマトリックス状に配列したものであり、周囲の１〜数ラインの発光素子を飾りパターンを表示する飾りパターン表示領域３とし、この飾りパターン表示領域３に囲まれた表示領域を、データ情報を表示するデータ情報表示領域４としたものである。この図の場合、データ情報表示領域４はテキスト表示のための４つの文字表示領域から構成されている。
【０００６】
上記特許文献１に開示された発光表示装置は、構成が簡素で、メッセージとともにメッセージとは非同期で飾りパターンを表示するようにしたものである。すなわち、この発光表示装置は、マトリックス状に配列した複数のＬＥＤ発光素子からなるＬＥＤ表示部と、ＤＭＡ転送回路、ＲＡＭ、ＶＲＡＭ、ＬＥＤ駆動回路と、を備え、ＤＭＡ転送回路がＲＡＭからＶＲＡＭに複数のＬＥＤのオン・オフを表すメッセージデータおよび飾りパターンデータを転送し、ＬＥＤ駆動回路がＶＲＡＭに転送されたメッセージデータおよび飾りパターンデータを各々対応する表示条件で、それぞれのデータに対応する複数のＬＥＤを駆動するように構成し、ＬＥＤ表示部にメッセージとともにメッセージとは非同期で飾りパターンを表示するように構成されている。
【０００７】
ところで、図９に示すようなマトリックスタイプの発光表示ユニットを用い、データ情報と飾りパターンを表示する発光表示装置において、テキストなどのデータ情報をできるだけ大きく表示して表示内容を目立たせたいというユーザの要求がある。このような要求を満たすためには、発光表示ユニットのドット数すなわち、発光素子数を増やせばよいが、発光素子数を増やすと、発光表示装置が大型になり、コストが増大することになり好ましくない。
【０００８】
上記のような発光表示装置においてはデータ情報を表示するデータ情報表示領域の周囲に１〜数ラインの飾りパターンを表示する飾りパターン表示領域が設けられている。そこで、飾りパターン表示領域をデータ情報の表示領域として共通に使用し、表示するデータ情報によっては、その表示の一部を飾りパターン表示領域の発光素子を用いて表示するように制御してデータ情報の表示を大きくすることによって、上記のようなユーザ要求を満たす構成とすることができる。
【特許文献１】特開平１１−３１６５６９号公報（図１、図３、図９、段落［００２３］、［００２４］）
【発明の開示】
【発明が解決しようとする課題】
【０００９】
しかしながら、飾りパターン表示領域をデータ情報の表示領域として共通に使用すると、飾りパターン表示領域にデータ情報の一部が表示された場合に、飾りパターン表示とデータ情報の表示との境界が不鮮明になる。上記特許文献１に開示された発光表示装置においては、飾りパターン表示をデータ情報表示領域中に表示する際に、飾りパターン表示を優先表示することが開示されているが（特許文献１、図９参照）、このような表示制御を行うと飾りパターン表示と重なった部分のデータ情報の表示が欠落してしまうので好ましくない。
【００１０】
そして、飾りパターン表示領域をデータ情報の表示領域として共通に使用した場合、飾りパターン表示領域に表示されるデータ情報の量、すなわち、飾りパターン表示領域を構成する発光素数（ドット数）に占めるデータ情報の表示ドット数の割合が多くなると、飾りパターンの表示ドット数が少なくなり、部分的に数ドットの発光素子が点灯されるとユーザに発光素子の故障と間違われる可能性が生じるという問題点が生じる。
【００１１】
本願の発明者は上記の問題点を解消すべく種々検討を重ねた結果、飾りパターンの表示領域をデータ情報の表示領域と共通に使用し、飾りパターン表示領域にデータ情報の一部が表示される場合には、飾りパターン表示領域に表示されるデータ情報のドット数の割合が大きい場合には飾りパターンを表示する発光素子（ドット）を消灯するように制御すれば、前述の問題点を解消し得ることに着想して本発明を完成するに至ったものである。
【００１２】
すなわち、本発明は上記の問題点を解消することを課題とし、マトリクス状に配列された複数の発光素子からなる発光表示ユニットに文字などのデータ情報を表示し、その周囲に飾りパターンを表示する発光表示装置であって、飾りパターンの表示領域をデータ情報の表示領域と共通に使用する発光表示装置において、飾りパターン表示領域に表示されるデータ情報と飾りパターンの表示割合によって飾りパターンの表示を適切に制御するようにした発光表示装置を提供することを目的とするものである。
【課題を解決するための手段】
【００１３】
前記課題を解決するために、本願の請求項１にかかる発明は、
マトリクス状に配列された複数の発光素子からなり、前記複数の発光素子のオン・オフによって画像情報を表示する発光表示ユニットと、前記発光表示ユニットに表示する画像データを展開するＶＲＡＭと、前記ＶＲＡＭにデータを展開するための制御手段とを備えた発光表示装置において、
前記発光表示ユニットは、データ情報の表示領域とその周囲に設定された飾りパターン表示領域とに区分され、前記飾りパターン表示領域はデータ情報の表示領域と共通に使用され、
前記制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上である場合には、飾りパターン表示領域に表示される飾りパターンのデータを前記ＶＲＡＭに展開しないように制御することを特徴とする。
【００１４】
また、本願の請求項２にかかる発明は、請求項１にかかる発明において、前記所定の割合は飾りパターン表示領域全体の５０％であることを特徴とする。
【００１５】
本願の請求項３にかかる発明は、
マトリクス状に配列された複数の発光素子からなり、前記複数の発光素子のオン・オフによって画像情報を表示する発光表示ユニットと、前記発光表示ユニットに表示する画像データを展開するＶＲＡＭと、前記ＶＲＡＭにデータを展開するための制御手段とを備えた発光表示装置における表示制御方法において、
前記発光表示ユニットは、データ情報の表示領域とその周囲に設定された飾りパターン表示領域とに区分され、前記飾りパターン表示領域はデータ情報の表示領域と共通に使用され、
前記制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上である場合には、飾りパターン表示領域に表示される飾りパターンのデータを前記ＶＲＡＭに展開しないように制御するステップを含むことを特徴とする。
【００１６】
また、本願の請求項４にかかる発明は、請求項３にかかる発明において、前記所定の割合は飾りパターン表示領域全体の５０％であることを特徴とする。
【発明の効果】
【００１７】
請求項１、請求項２にかかる発明においては、制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上、例えば、５０％以上である場合には、飾りパターン表示領域に表示される飾りパターンのデータを前記ＶＲＡＭに展開しないように制御する。
【００１８】
従って、飾りパターン表示領域に表示される飾りパターンのドット数が少ない場合には飾りパターンを表示するドットが消灯されるので発光素子の誤動作と誤認されることがなくなる。
【００１９】
請求項３、請求項４にかかる発明においては、制御手段は、データ情報と飾りパターンのデータを前記ＶＲＡＭに展開する際に、データ情報の一部が飾りパターン表示領域に表示される場合、当該データ情報の一部をＶＲＡＭに展開するとともに、飾りパターン表示領域に表示されるデータ情報の割合が飾りパターン表示領域全体に対して所定割合以上、例えば、５０％以上である場合には、飾りパターン表示領域に表示される飾りパターンのデータを前記ＶＲＡＭに展開しないように制御するステップを含む。
【００２０】
従って、飾りパターン表示領域に表示される飾りパターンのドット数が少ない場合には飾りパターンを表示するドットが消灯されるので発光素子の誤動作と誤認されることがなくなる。
【発明を実施するための最良の形態】
【００２１】
以下、本発明の具体例を実施例及び図面を用いて詳細に説明する。図１は、本発明の実施例にかかる発光表示装置の構成を示すブロック図である。図２は、図１の発光表示装置における発光表示ユニットの構成を示す図である。図３は、ＶＲＡＭに表示すべきデータを展開する制御方法を示す模式図であり、図３（ａ）はデータ情報をＶＲＡＭに展開する様子を仮想的に示す模式図、図３（ｂ）は飾りパターンのデータをＶＲＡＭに展開する様子を仮想的に示す模式図である。
【００２２】
図４は、表示データの展開の様子を説明するための模式図であり、図４（ａ）は飾りパターン表示領域にデータ情報を展開する前の状態を示す模式図、図４（ｂ）は飾りパターン表示領域にデータ情報を優先して展開した状態を示す模式図、図４（ｃ）は飾りパターン表示領域の発光素子の点灯、消灯を決定する際の各ドット制御の進み方を示す模式図である。図５は、図４の表示制御を行う手順を示すフローチャートである。
【００２３】
図６は、表示データの展開の様子を説明するための模式図であり、図６（ａ）は飾りパターン表示領域１２１にデータ情報を展開する前の状態を示す模式図、図６（ｂ）は、飾りパターン表示領域１２１に表示されるデータ情報のドット数が所定割合以上の場合、飾りパターンを表示する発光素子を消灯した状態を示す模式図、図６（ｃ）は飾りパターン表示領域１２１にデータ情報が表示されないドットが連続して一定数以下である場合に当該連続するドットを消灯した状態を示す図である。
【００２４】
図７は、図６（ｂ）の表示制御を行う手順を示すフローチャートであり、図８は、図６（ｃ）の表示制御を行う手順を示すフローチャートである。
【実施例】
【００２５】
本発明の実施例にかかる発光表示装置１０は、図１に示すように発光表示ユニット１２、ＣＰＵ１４、表示コントローラ１６、ＲＯＭ１１、ＲＡＭ１３、ＶＲＡＭ１５を備えて構成されている。発光表示ユニット１２は図２に示すようにＬＥＤなどの発光素子１２０をマトリックス状に配列して構成され、テキストや絵文字などのデータ情報を表示するデータ情報表示領域１２２とその周辺に飾りパターンを表示する飾りパターン表示領域１２１が設けられている。この発光表示ユニット１２は、例えば、縦１２ドット、横４８ドットの発光素子で構成され、データ情報は全角１文字を１２×１２ドットの発光素子で表示するように構成されている。従って、データ情報は全角４文字を表示することができる。
【００２６】
この発光表示ユニット１２において、データ情報表示領域１２２はデータ情報の表示のみに使用される非共用部であり、飾りパターン表示領域１２１はデータ情報の表示と飾りパターンの表示に共用される共用部である。飾りパターン表示領域１２１は例えばデータ情報表示領域１２２の周辺の各１ライン分の発光素子が用いられる。
【００２７】
この発光表示装置１０において、ＣＰＵ１４は発光表示装置１０全体の制御を行うものである。ＲＯＭ１１は各種のプログラムおよび各種のデータを記憶するものであり例えばフォントデータなどが記憶されている。ＲＡＭ１３には図示しないパーソナルコンピュータなどの装置から受信するデータ情報や飾りパターンのデータをＣＰＵ１４の制御により記憶する。ＲＡＭ１３に書き込まれたデータ情報（表示データ）や飾りパターンのデータはＣＰＵ１４の制御により図示しないＤＭＡ転送回路を用いてＶＲＡＭ１５に転送され、展開される。ＶＲＡＭ１５は図２に示す発光表示ユニット１２の各発光素子１２０に対応した構成を持ち、各発光素子毎にドット単位で表示すべきデータが展開される。
【００２８】
表示コントローラ１６はＶＲＡＭ１５に展開されたデータ情報や飾りパターンのデータを発光表示ユニット１２に表示するため、各々の発光素子１２０の点灯、消灯を制御する。また、ＲＯＭ１１には、データ情報を表示するためのデータ表示用プログラム、表示時間、表示周期等の表示条件を含む飾りパターン表示用プログラム等の各種のプログラム、および複数の種類の飾りパターンデータ等の各種のデータが予め記憶されている。データ表示用プログラムと飾りパターン表示用プログラムは、飾りパターン表示領域１２１にデータ情報の一部が表示される場合に後述する表示制御を行うように構成されている。
【００２９】
次に、飾りパターンの表示領域１２１をデータ情報の表示領域１２２と共通に使用する場合におけるＶＲＡＭ１５への表示データの展開方法について説明する。図３は、ＶＲＡＭ１５に表示すべきデータを展開する制御方法を示す模式図であり、図３（ａ）はデータ情報をＶＲＡＭ１５に展開する様子を仮想的に示す模式図、図３（ｂ）は飾りパターンのデータをＶＲＡＭ１５に展開する様子を仮想的に示す模式図である。
【００３０】
図３（ａ）に示すように、データ情報である「営業中」のテキストが表示される場合、飾りパターン表示領域１２１がデータ情報の表示のために共用され、データ情報の一部、が参照符号４１で示すように飾りパターン表示領域１２１に展開される。一方飾りパターンのデータは図３（ｂ）に示すように飾りパターン表示領域１２１に展開され、実際のＶＲＡＭ１５には、図３（ａ）のデータ情報と図３（ｂ）の飾りパターンのデータが重ね合わされて展開される。ただし、飾りパターン表示領域１２１においてデータ情報と飾りパターンのデータが重なる部分（参照符号４１）は、データ情報を優先して展開する。
【００３１】
このようにデータ情報と飾りパターンのデータをＶＲＡＭ１５に展開すると、飾りパターン表示領域１２１においてデータ情報が展開される部分（図３（ａ）参照符号４１）と隣接する発光素子、例えば、図３（ａ）の参照符号４２で示す素子にも飾りパターンのデータを展開すると、データ情報と飾りパターンの表示の境界が明瞭でなくなる。
【００３２】
これを回避するため、図４に示すように、ＶＲＡＭ１５に表示データを展開する際に、飾りパターン表示領域１２１にデータ情報の一部が展開される場合、当該一部のデータ情報に隣接する飾りパターン表示領域１２１の発光素子を消灯するようにデータ展開する。このようにすれば、飾りパターン表示領域１２１のデータ情報に隣接した発光素子が消灯されるため、データ情報と飾りパターンのデータとが明瞭に区別できるようになる。
【００３３】
図４はこの様子を説明するための模式図であり、図４（ａ）は飾りパターン表示領域１２１にデータ情報を展開する前の状態を示す模式図、図４（ｂ）は飾りパターン表示領域１２１にデータ情報を重ね合わせ、データ情報を優先して展開した状態を示す模式図、図４（ｃ）は飾りパターン表示領域１２１の発光素子の点灯、消灯を決定する際の各ドット制御の進み方を示す模式図である。すなわち、図４（ｂ）に示すように飾りパターン表示領域１２１にデータ情報の一部４１が展開される場合、隣接する発光素子４２を消灯状態とするように飾りパターンのデータを展開する。
【００３４】
以上のように構成された発光表示装置１０の表示制御手順について説明する。図５は、図４の表示制御を行う手順を示すフローチャートである。ＣＰＵ１４によりＲＡＭ１３に記憶した飾りパターンとデータ情報のＶＲＡＭ１５への表示データの展開が開始されると、ＣＰＵ１４は、ステップＳ１０の処理において飾りパターンのデータがあるかを判定する。飾りパターンのデータがなければ、ステップＳ１９の処理に進みデータ情報の全体をＶＲＡＭ１５に展開してＶＲＡＭ１５の更新処理を終了する。
【００３５】
ステップＳ１０の処理において飾りパターンのデータがあるとステップＳ１１の処理に進み、飾りパターンのデータを作成する。次いで、ステップＳ１２の処理においてデータ情報のうち、データ情報表示領域１２２（非共用部分）に表示すべきデータをＶＲＡＭ１５に展開し、ステップＳ１３の処理において変数ｉをセットしてステップＳ１４の処理に進む。変数ｉは飾りパターン表示領域１２１の全ドット（発光素子）数（サイズ：ｓｉｚｅ）であり、初期値は図４（ｃ）の矢印の任意のスタート位置として設定すればよい。例えば、左最上部のドットを１として初期値を設定する。
【００３６】
次いで、ステップＳ１４の処理において飾りパターン表示領域１２１のドットｉにデータ情報の表示データがあるかを判定する。データ情報があれば、ステップＳ１７の処理に進みデータ情報のドットｉをＶＲＡＭ１５のドットｉに展開（コピー）する。飾りパターン表示領域１２１のドットｉにデータ情報の表示データがない場合は、ステップＳ１５の処理において飾りパターン表示領域１２１のドットｉの両隣にデータ情報の表示データがあるかを判定する。飾りパターン表示領域１２１のドットｉの両隣にデータ情報の表示データがない場合は、ステップＳ１７の処理に進みデータ情報のドットｉをＶＲＡＭ１５のドットｉに展開（コピー）する。
【００３７】
ステップＳ１５の処理において飾りパターン表示領域１２１のドットｉの両隣にデータ情報の表示データがない場合は、ステップＳ１６の処理において、飾りパターンのデータのドットｉをＶＲＡＭ１５のドットｉに展開する。そしてステップＳ１８の処理において変数ｉをプラス「１」し、ステップし２０の処理において飾りパターン表示領域１２１の全ドット数に達しているかを判定し、全ドット数（ｓｉｚｅ）に達していなければステップＳ１４の処理に戻り、次のドットについて同様の処理を行い飾りパターン表示領域１２１の全ドットについて上記の処理を繰り返す。
【００３８】
すなわち、ステップＳ１４〜ステップＳ２０の処理においては、ドットｉにデータ情報の表示データがなく、かつ、その両隣のドットにデータ情報の表示データがない場合にのみ飾りパターンのデータをＶＲＡＭ１５のドットｉに展開する処理をおこなうため、ドットｉにデータ情報の表示データがある場合、ドットｉに隣接するドットには飾りパターンのデータが展開されず、当該隣接ドットは消灯状態にされる。
【００３９】
ところで、上記のように飾りパターン表示領域にデータ情報の一部を優先して表示する表示制御を行った場合、飾りパターン表示領域１２１に表示されるデータ情報のドット数が多くなると、飾りパターンが表示されるドット数が少なくなり、部分的に数ドットの発光素子が点灯されるとユーザに発光素子の故障と間違われる可能性が生じる。
【００４０】
これを防止するためは、第１には、飾りパターン表示領域１２１に表示されるデータ情報のドット数の飾りパターン表示領域１２１全体のドット数に占める割合によって飾りパターンを表示するかしないかを決定し、飾りパターン表示領域１２１に表示されるデータ情報のドット数の割合が大きい場合には飾りパターンを表示する発光素子（ドット）を消灯し、飾りパターン表示領域１２１をデータ情報の表示だけにすればよい。図６は、この様子を説明するための模式的図であり、図６（ａ）は、飾りパターン表示領域１２１にデータ情報を展開する前の状態を示す模式図、図６（ｂ）は、飾りパターン表示領域１２１に表示されるデータ情報のドット数が所定割合以上の場合、飾りパターンを表示する発光素子を消灯した状態を示す模式図である。
【００４１】
このように表示すると、飾りパターン表示領域１２１に表示される飾りパターンのドット数が少ない場合には飾りパターンを表示するドットが消灯されるので発光素子の誤動作と誤認されることがなくなる。
【００４２】
あるいは、第２には、飾りパターン表示領域１２１にデータ情報が表示されないドットが連続して一定数以下、例えば、飾りパターン表示領域１２１全体のドット数の１／４以下である場合には、当該連続するドットを消灯し、飾りパターンを表示しないように制御すればよい。図６（ｃ）は飾りパターン表示領域１２１にデータ情報が表示されないドットが連続して一定数以下である場合に当該連続するドットを消灯した状態を示す図である。
このように表示すると、飾りパターン表示領域１２１に表示する連続ドット数が小さい部分には飾りパターンが表示されず、発光素子の誤動作と誤認されることがなくなる。
【００４３】
図７は、上記第１の表示制御を行う手順を示すフローチャートである。ＣＰＵ１４によりＲＡＭ１３に記憶した飾りパターンとデータ情報のＶＲＡＭ１５への表示データの展開が開始されると、ＣＰＵ１４は、ステップＳ３０の処理において飾りパターンのデータがあるかを判定する。飾りパターンのデータがなければ、ステップＳ４１の処理に進みデータ情報の全体をＶＲＡＭ１５に展開してＶＲＡＭ１５の更新処理を終了する。
【００４４】
ステップＳ３０の処理において飾りパターンのデータがあるとステップＳ３１の処理に進み、飾りパターンのデータを作成する。次いで、ステップＳ３２の処理においてデータ情報のうち、データ情報表示領域１２２（非共用部分）に表示すべきデータをＶＲＡＭ１５に展開し、ステップＳ３３の処理において変数ｉ、ｓｕｍをセットしてステップＳ３４の処理に進む。変数ｉは飾りパターン表示領域１２１の全ドット（発光素子）数（サイズ：ｓｉｚｅ）であり、例えば、左最上部のドットを「０」として初期値を設定する。変数ｓｕｍは計算用合計値であり初期値は「０」である。
【００４５】
次いで、ステップＳ３４の処理において飾りパターン表示領域１２１のドットｉにデータ情報の表示データがあるかを判定する。データ情報があれば、ステップＳ３５の処理に進み、計算用合計値ｓｕｍを＋１し、ステップＳ３６の処理において変数ｉを＋１してステップＳ３７の処理に進む。ステップＳ３７の処理において、飾りパターン表示領域１２１の全ドット数に達しているかを判定し、全ドット数（ｓｉｚｅ）に達していなければステップＳ３４の処理に戻り、次のドットについて同様の処理を行い飾りパターン表示領域１２１の全ドットについて上記の処理を繰り返す。
【００４６】
ステップＳ３４の処理において、飾りパターン表示領域１２１の全ドット数に達していればステップＳ３８の処理において計算用合計値ｓｕｍが飾りパターン表示領域１２１の全ドット数の５０％を超えているかを判定する。すなわち、飾りパターン表示領域１２１に表示されるデータ情報のドット数の割合が５０％以上であるかを判定する。５０％以上である場合いには、ステップＳ４０の処理に進み、飾りパターン表示領域１２１に表示されるデータ情報をＶＲＡＭ１５に展開する。
【００４７】
ステップＳ３４の処理において、飾りパターン表示領域１２１に表示されるデータ情報のドット数の割合が５０％に達していなければステップＳ３９において飾りパターンのデータをＶＲＡＭ１５に展開して処理を終了する。このように制御することにより、飾りパターン表示領域１２１に表示されるデータ情報のドット数の割合が大きい場合には飾りパターンを表示する発光素子（ドット）を消灯し、飾りパターン表示領域１２１をデータ情報の表示だけにすることができる。従って飾りパターン表示領域１２１に表示される飾りパターンのドット数が少ない場合には飾りパターンを表示するドットが消灯されるので発光素子の誤動作と誤認されることがなくなる。
【００４８】
図８は、上記第２の表示制御を行う手順を示すフローチャートである。ＣＰＵ１４によりＲＡＭ１３に記憶した飾りパターンとデータ情報のＶＲＡＭ１５への表示データの展開が開始されると、ＣＰＵ１４は、ステップＳ５０の処理において飾りパターンのデータがあるかを判定する。飾りパターンのデータがなければ、ステップＳ６９の処理に進みデータ情報の全体をＶＲＡＭ１５に展開してＶＲＡＭ１５の更新処理を終了する。
【００４９】
ステップＳ５０の処理において飾りパターンのデータがあるとステップＳ５１の処理に進み、飾りパターンのデータを作成する。次いで、ステップＳ５２の処理においてデータ情報のうち、データ情報表示領域１２２（非共用部分）に表示すべきデータをＶＲＡＭ１５に展開し、ステップＳ５３の処理において変数ｉ、ｃｎｔ、ｆｉｒｓｔ  ｃｎｔをセットしてステップＳ３４の処理に進む。変数ｉは飾りパターン表示領域１２１の全ドット（発光素子）数（サイズ：ｓｉｚｅ）であり、例えば、左最上部のドットを「０」として初期値を設定する。変数ｃｎｔおよびｆｉｒｓｔ  ｃｎｔは計算用変数でありｃｎｔの初期値は「０」、ｆｉｒｓｔ  ｃｎｔの初期値は「−１」である。
【００５０】
次いで、ステップＳ５４の処理において飾りパターン表示領域１２１のドットｉにデータ情報の表示データがあるかを判定する。ドットｉにデータ情報がなければステップＳ６８の処理において変数ｃｎｔを＋１してステップＳ６１の処理に進む。
【００５１】
ステッフＳ５４の処理において、ドットｉにデータ情報があれば、ステップＳ５５の処理において、データ情報のドットｉをＶＲＡＭ１５のドットｉに展開（コピー）してステップＳ５６の処理に進む。ステップＳ５６の処理において変数ｆｉｒｓｔ  ｃｎｔが「０」より小さいかを判定し、「０」より小さい場合はステップＳ７０の処理において変数ｆｉｒｓｔ  ｃｎｔを変数ｃｎｔの値に置き換えてステップＳ６０の処理に進む。
【００５２】
ステップＳ５６の処理において変数ｆｉｒｓｔ  ｃｎｔが「０」より小さいかを判定し、「０」より小さくない場合は、ステップＳ５７の処理において変数ｃｎｔが飾りパターン表示領域１２１の全ドット数の１／４以上かを判定する。１／４以上でない場合、ステップＳ５９の処理においてデータ情報のｉ−ｃｎｔドット目からｃｎｔ分のデータをＶＲＡＭ１５に展開（コピー）する。
【００５３】
ステップＳ５７の処理において変数ｃｎｔが飾りパターン表示領域１２１の全ドット数の１／４以上である場合は、ステップＳ５８の処理において飾りパターンのｉ−ｃｎｔドット目からｃｎｔ分のデータをＶＲＡＭ１５に展開（コピー）する。
【００５４】
次に、ステップＳ６０の処理において、変数ｃｎｔを「０」にしてステップＳ６１の処理において変数ｉを＋１してステップＳ６２の処理に進み、ステップＳ６２の処理において、飾りパターン表示領域１２１の全ドット数に達しているかを判定し、全ドット数（ｓｉｚｅ）に達していればステップＳ４４の処理に戻り、次のドットについて同様の処理を行い飾りパターン表示領域１２１の全ドットについて上記の処理を繰り返す。
【００５５】
ステップＳ６２の処理において、飾りパターン表示領域１２１の全ドット数に達していなければ、ステップＳ６３の処理において変数ｃｎｔが飾りパターン表示領域１２１の全ドット数に達しているかを判定し、全ドット数（ｓｉｚｅ）に達していればステップＳ６５の処理において、飾りパターンのデータの「０」ドット目から全ドット数（ｓｉｚｅ）分のデータをＶＲＡＭ１５に展開（コピー）して処理を終了する。
【００５６】
ステップＳ６３の処理において変数ｃｎｔが飾りパターン表示領域１２１の全ドット数に達しているかを判定し、全ドット数（ｓｉｚｅ）に達していなければステップＳ６４の処理において、変数ｆｉｒｓｔ  ｃｎｔ＋変数ｃｎｔの値が飾りパターン表示領域１２１の全ドット数の１／４以上であるかを判定する。変数ｆｉｒｓｔ  ｃｎｔ＋変数ｃｎｔの値が飾りパターン表示領域１２１の全ドット数の１／４以上である場合には、ステップＳ６６の処理において飾りパターンのデータの「０」ドット目からｆｉｒｓｔ  ｃｎｔ分と、飾りパターンのデータのｉ−ｃｎｔドット目からｃｎｔ分のデータをＶＲＡＭ１５に展開（コピー）して処理を終了する。
【００５７】
ステップＳ６４の処理において、変数ｆｉｒｓｔ  ｃｎｔ＋変数ｃｎｔの値が飾りパターン表示領域１２１の全ドット数の１／４以上でない場合は、ステップＳ６７の処理においてデータ情報の「０」ドット目からｆｉｒｓｔ  ｃｎｔ分と、データ情報のｉ−ｃｎｔドット目からｃｎｔ分のデータをＶＲＡＭ１５に展開（コピー）して処理を終了する。
【００５８】
このように表示制御することにより、飾りパターン表示領域１２１にデータ情報が表示されないドットが連続して一定数以下、例えば、飾りパターン表示領域１２１全体のドット数の１／４以下である場合には、当該連続するドットを消灯することができる。従って、飾りパターン表示領域１２１に表示する連続ドット数が小さい部分には飾りパターンが表示されず、発光素子の誤動作と誤認されることがなくなる。
【００５９】
なお、図７および図８の表示制御に図３〜図５で説明した表示制御手順を併用することもできる。
【００６０】
以上詳細に説明したように、本発明にかかる発光表示装置によれば、飾りパターン表示領域１２１に表示される飾りパターンのドット数が少ない場合に飾りパターンを表示するドットが消灯されるので発光素子の誤動作と誤認されることがなくなる。
【図面の簡単な説明】
【００６１】
【図１】本発明の実施例にかかる発光表示装置の構成を示すブロック図である。
【図２】図１の発光表示装置における発光表示ユニットの構成を示す図である。
【図３】ＶＲＡＭに表示すべきデータを展開する制御方法を示す模式図であり、図３（ａ）はデータ情報をＶＲＡＭに展開する様子を仮想的に示す模式図、図３（ｂ）は飾りパターンのデータをＶＲＡＭに展開する様子を仮想的に示す模式図である。
【図４】表示データの展開の様子を説明するための模式図であり、図４（ａ）は飾りパターン表示領域にデータ情報を展開する前の状態を示す模式図、図４（ｂ）は飾りパターン表示領域にデータ情報を優先して展開した状態を示す模式図、図４（ｃ）は飾りパターン表示領域の発光素子の点灯、消灯を決定する際の各ドット制御の進み方を示す模式図である。
【図５】図４の表示制御を行う手順を示すフローチャートである。
【図６】表示データの展開の様子を説明するための模式図であり、図６（ａ）は飾りパターン表示領域１２１にデータ情報を展開する前の状態を示す模式図、図６（ｂ）は、飾りパターン表示領域１２１に表示されるデータ情報のドット数が所定割合以上の場合、飾りパターンを表示する発光素子を消灯した状態を示す模式図、図６（ｃ）は飾りパターン表示領域１２１にデータ情報が表示されないドットが連続して一定数以下である場合に当該連続するドットを消灯した状態を示す図である。
【図７】図６（ｂ）の表示制御を行う手順を示すフローチャートである。
【図８】図６（ｃ）の表示制御を行う手順を示すフローチャートである。
【図９】複数の発光素子をマトリックス状に配列した一般的な発光表示ユニットの構成を示す図である。
【符号の説明】
【００６２】
１０    発光表示装置
１１    ＲＯＭ
１２    発光表示ユニット
１３    ＲＡＭ
１４    ＣＰＵ
１５    ＶＲＡＭ
１６    表示コントローラ
１２０  発光素子
１２１  飾りパターン表示領域（共用部）
１２２  データ情報表示領域（非共用部）
【図１】
2006234901.tif 000003
【図２】
2006234901.tif 000004
【図３】
2006234901.tif 000005
【図４】
2006234901.tif 000006
【図５】
2006234901.tif 000007
【図６】
2006234901.tif 000008
【図７】
2006234901.tif 000009
【図８】
2006234901.tif 000010
【図９】
2006234901.tif 000011